(57)【要約】【課題】フィルタケーシングを改修することなく、サイズの大きなフィルタをフィルタ取付部に装着することができるフィルタ装置を提供する。【解決手段】フィルタケーシング内のフィルタ取付用開口２の上方に設けられた上部レール３と、フィルタ取付用開口２の下方に設けられた下部レール４と、フィルタ取付用開口に配置されるフィルタよりも厚みの大きいフィルタ１と、フィルタ１のフィルタ枠１１の上面から上方に突設されフィルタ取付用開口２の上縁部と上部レール３の垂下部との間に位置した上部係止部材６と、フィルタ１のフィルタ枠１１の下面から下方に突設されフィルタ取付用開口２の下縁部と下部レール４の立上り部との間に位置した下部係止部材７と、を備えたフィルタ装置である。【選択図】図４
2018089620.tif 000002
【特許請求の範囲】
【請求項１】
フィルタケーシング内のフィルタ取付用開口の上方に設けられ、水平部とこの水平部の先端から垂下した垂下部とを含む上部レールと、
前記フィルタ取付用開口の下方に設けられ、水平部とこの水平部の先端から立ち上がった立上り部とを含む下部レールと、
前記フィルタ取付用開口に配置される、前記上部レールおよび下部レールの前記水平部の幅よりも厚みの大きいフィルタと、
前記フィルタのフィルタ枠上面から上方に突設され、前記フィルタ取付用開口の上縁部と前記上部レールの垂下部との間に位置した上部係止部材と、
前記フィルタのフィルタ枠下面から下方に突設され、前記フィルタ取付用開口の下縁部と前記下部レールの立上り部との間に位置した下部係止部材と、を備えたフィルタ装置。
【請求項２】
前記上部係止部材および下部係止部材が、断面コ字形材、断面Ｌ形材または棒状である請求項１に記載のフィルタ装置。
【請求項３】
前記上部係止部材および下部係止部材は、前記フィルタ取付用開口に対面する前記フィルタの面との間に間隙を有している請求項１または２に記載のフィルタ装置。
【請求項４】
前記フィルタ取付用開口の周縁部および／またはこの周縁部に対向する前記フィルタのフィルタ枠前面に弾性部材を設けた請求項１〜３のいずれかに記載のフィルタ装置。
【請求項５】
前記フィルタを前記フィルタ取付用開口の周縁部に押圧する押圧機構を設けた請求項１〜４のいずれかに記載のフィルタ装置。
【請求項６】
前記押圧機構が、
前記上部係止部材および下部係止部材に設けた貫通ねじ孔にそれぞれ螺合するねじ材と、
前記フィルタ取付用開口の上縁部と前記上部レールの垂下部との間、および前記フィルタ取付用開口の下縁部と前記下部レールの立上り部との間にそれぞれ位置し、前記ねじ材が挿通されると共に、前記上部レールの垂下部および下部レールの立上り部の内面に当接する可動板と、
この可動板の前記フィルタ取付用開口側に位置し、前記ねじ材に固定されたナットと、を備えた請求項５に記載のフィルタ装置。
【請求項７】
前記押圧機構が、前記上部係止部材および下部係止部材にそれぞれ設けられ、回転操作により前記上部レールの垂下部および前記下部レールの立上り部に圧接して、フィルタを前記フィルタ取付用開口の周縁部に押圧する回転カム機構である請求項５に記載のフィルタ装置。
【請求項８】
前記フィルタ枠と前記フィルタ取付用開口の周縁部とが前記弾性部材を介して対向すると共に、
前記下部係止部材は、エアー上流側後端部から下流側に向かって前記フィルタ枠から遠ざかるように下り勾配となったテーパ部が形成されており、
前記フィルタ取付用開口の周縁部に対向する前記弾性部材１３の前面から前記下部係止部材のエアー上流側後端部までの長さＬ１と、前記下部レールの前記フィルタ取付用開口の周縁部への取付面から立上り部の内面までの長さＬ２と、前記弾性部材１３の厚みｔとが下記（i）、（ii）の関係を有することを特徴とする請求項４に記載のフィルタ装置。
Ｌ１＞Ｌ２          ・・・・・（i）
（Ｌ１−Ｌ２）＜ｔ    ・・・・・（ii）
【請求項９】
前記フィルタと前記フィルタ取付用開口との間に防虫網が介在している請求項１〜８のいずれかに記載のフィルタ装置。
【発明の詳細な説明】
【技術分野】
【０００１】
本発明は、クリーンな空気を提供するためのフィルタ装置に関する。
【背景技術】
【０００２】
一般ビルのオフィスや製造工場内などにクリーンな空気を取り込むために、空調設備には大気中の浮遊粒子を除去する為のフィルタが装着されている。フィルタは、通常、フィルタケーシングと呼ばれるダクト内に、空気の上流側から順にプレフィルタ、中性能フィルタおよびＨＥＰＡフィルタが設置される。フィルタケーシングは、一度設置すると、取り換えや改修することは殆どなく、長期間にわたって使用される。
【０００３】
特許文献１には、フィルタケーシング内にレールを配設し、ケーシング側部の扉を開いて、レールにフィルタを保持させるようにしたフィルタ保持装置が記載されている。このフィルタ保持装置において使用されるプレフィルタは、通常、レールの幅よりも狭い幅を有する。これにより、プレフィルタの上端部および下端部をレール内に挿入し保持することができる。
【０００４】
一方、大気中の浮遊粒子の捕集効率を維持したまま、省エネルギーのために、フィルタの圧力損失を下げたい場合は、濾材の面積を増やすのが有効である。そのためには、例えば、通常のプレフィルタに代えて、中性能フィルタやＨＥＰＡフィルタを使用するのがよいが、フィルタの厚さが大きくなる。また、フィルタ取付部には、中性能フィルタやＨＥＰＡフィルタの取付部に設けられる押圧機構（例えばカム機構など）がないため、浮遊粒子を含む空気がフィルタの横からリークするという問題もある。
しかし、既設のフィルタよりも厚さの大きなフィルタをフィルタ取付部に装着することができなかった。
【先行技術文献】
【特許文献】
【０００５】
【特許文献１】特開２０１３−１８８６６６号公報
【発明の概要】
【発明が解決しようとする課題】
【０００６】
本発明の課題は、既設のフィルタよりも厚さの大きなフィルタをフィルタ取付部に装着することができるフィルタ装置を提供することである。
【課題を解決するための手段】
【０００７】
本発明者らは、上記課題を解決すべく鋭意検討した結果、本発明を完成するに至った。すなわち、本発明は以下の構成からなる。
（１）フィルタケーシング内のフィルタ取付用開口の上方に設けられ水平部とこの水平部の先端から垂下した垂下部とを含む上部レールと、前記フィルタ取付用開口の下方に設けられ水平部とこの水平部の先端から立ち上がった立上り部とを含む下部レールと、前記フィルタ取付用開口に配置される前記上部レールおよび下部レールの前記水平部の幅よりも厚みの大きいフィルタと、前記フィルタのフィルタ枠上面から上方に突設され前記フィルタ取付用開口の上縁部と前記上部レールの垂下部との間に位置した上部係止部材と、前記フィルタのフィルタ枠下面から下方に突設され前記フィルタ取付用開口の下縁部と前記下部レールの立上り部との間に位置した下部係止部材と、を備えたフィルタ装置。
（２）前記上部係止部材および下部係止部材が、コ字形材またはＬ形材である（１）に記載のフィルタ装置。
（３）前記上部係止部材および下部係止部材は、前記フィルタ取付用開口に対面する前記フィルタの面との間に間隙を有している（１）または（２）に記載のフィルタ装置。
（４）前記フィルタ取付用開口の周縁部および／またはこの周縁部に対向する前記フィルタのフィルタ枠前面に弾性部材を設けた請求項１〜３のいずれかに記載のフィルタ装置。
（５）前記フィルタを前記フィルタ取付用開口の周縁部に押圧する押圧機構を設けた（１）〜（４）のいずれかに記載のフィルタ装置。
（６）前記押圧機構が、前記上部係止部材および下部係止部材に設けた貫通ねじ孔にそれぞれ螺合するねじ材と、前記フィルタ取付用開口の上縁部と前記上部レールの垂下部との間および前記フィルタ取付用開口の下縁部と前記下部レールの立上り部との間にそれぞれ位置し前記ねじ材が挿通されると共に前記上部レールの垂下部および下部レールの立上り部の内面に当接する可動板と、この可動板の前記フィルタ取付用開口側に位置し前記ねじ材に固定されたナットとを備えた（５）に記載のフィルタ装置。
（７）前記押圧機構が、前記上部係止部材および下部係止部材にそれぞれ設けられ、回転操作により前記上部レールの垂下部および前記下部レールの立上り部に圧接して、フィルタを前記フィルタ取付用開口の周縁部に押圧する回転カム機構である（５）に記載のフィルタ装置。
（８）前記フィルタ枠と前記フィルタ取付用開口の周縁部とが前記弾性部材を介して対向すると共に、
前記下部係止部材は、エアー上流側後端部から下流側に向かって前記フィルタ枠から遠ざかるように下り勾配となったテーパ部が形成されており、
前記フィルタ取付用開口の周縁部に対向する前記弾性部材１３の前面から前記下部係止部材のエアー上流側後端部までの長さＬ１と、前記下部レールの前記フィルタ取付用開口の周縁部への取付面から立上り部の内面までの長さＬ２と、前記弾性部材１３の厚みｔとが下記（i）、（ii）の関係を有することを特徴とする（４）に記載のフィルタ装置。
Ｌ１＞Ｌ２          ・・・・・（i）
（Ｌ１−Ｌ２）＜ｔ    ・・・・・（ii）
（９）前記フィルタと前記フィルタ取付用開口との間に防虫網が介在している（１）〜（８）のいずれかに記載のフィルタ装置。
【発明の効果】
【０００８】
本発明のフィルタ装置は、フィルタに設けた上部係止部材および下部係止部材を、フィルタ取付用開口の上部レールおよび下部レール内に挿入し係合させることにより、フィルタケーシングを改修することなく、フィルタ取付用開口に、既設のフィルタよりも厚みの大きいフィルタを取り付けることができる。
上記（５）、（８）に記載のように、フィルタに押圧機構を設けることにより、既設のフィルタよりも厚みの大きいフィルタを取り付けても、空気のリークを抑制することができる。従って、ＵＬＰＡフィルタ、ＨＥＰＡフィルタ、中性能フィルタ、ケミカルフィルタ等の各種のフィルタを取り付けることができる。
また、いずれのフィルタ装置においても、防虫網を取り付けることが可能である。
【図面の簡単な説明】
【０００９】
【図１】フィルタケーシングの一例を示す概略断面図である。
【図２Ａ】フィルタ取付用開口の一例を示す斜視図である。
【図２Ｂ】フィルタ取付用開口の他の例を示す斜視図である。
【図３】フィルタを取付けた状態での通常のフィルタ装置の斜視図である。
【図４】本発明の一実施形態に係るフィルタ装置を示す斜視図である。
【図５】フィルタの取付け方法の一例を示す概略側面図である。
【図６Ａ】従来のフランジ式フィルタの取付け状態を示す説明図である。
【図６Ｂ】従来のフランジ式フィルタを取付ける際の説明図である。
【図６Ｃ】従来のフランジ式フィルタを取付ける際の別の説明図である。
【図７】フィルタの取付け方法の他の例を示す概略側面図である。
【図８Ａ】本発明の他の実施形態に係るフィルタ装置を示す斜視図である。
【図８Ｂ】他の実施形態におけるフィルタの取付け方法の一例を示す概略側面図である。
【図９Ａ】本発明のさらに他の実施形態に係るフィルタを示す斜視図である。
【図９Ｂ】図９Ａに示すフィルタの取付け状態の一例を示す概略側面図である。
【図１０Ａ】本発明の別の実施形態に係るフィルタ装置におけるフィルタの上部押圧機構を示す部分側面図である。
【図１０Ｂ】別の実施形態におけるフィルタの下部押圧機構を示す部分側面図である。
【図１１Ａ】本発明のさらに別の実施形態に係るフィルタ装置におけるフィルタの上部押圧機構を示す部分側面図である。
【図１１Ｂ】さらに別の実施形態におけるフィルタの下部押圧機構を示す部分側面図である。
【図１２Ａ】本発明における回転カム機構によるフィルタの上部押圧機構の一例を示す部分側面図である。
【図１２Ｂ】本発明における回転カム機構によるフィルタの下部押圧機構の一例を示す部分側面図である。
【図１３】（ａ）〜（ｃ）は本発明のさらに他の実施形態に係るフィルタの取付け方法を示す説明図である。
【図１４】図１３（ａ）の部分拡大図である。
【図１５】（ａ）および（ｂ）はそれぞれ図１３に示す下部係止部材の展開図および斜視図である。
【図１６】（ａ）〜（ｄ）はそれぞれ図１３に示す下部係止部材の他の例を示す部分斜視図である。
【図１７】本発明の実施例１におけるフィルタ装置を説明するための側面図である。
【図１８】本発明の実施例２におけるフィルタ装置の上部係止部材の取付け状態を示す側面図である。
【図１９】本発明の実施例３におけるフィルタ装置の下部係止部材の取付け状態を示す側面図である。
【発明を実施するための形態】
【００１０】
本発明の一実施形態に係るフィルタ装置を、図１〜６に基づいて以下説明する。図１は、フィルタケーシング１００を示している。同図に示すように、フィルタケーシング１００は、ダクト１０１に、空気の上流側から下流側に向かって、空気流入口１０２、主としてプレフィルタ用のフィルタ取付部１０３、主として中性能フィルタやＨＥＰＡフィルタ用のフィルタ取付部１０４、１０５およびファンボックス１０６がこの順で配設されている。ファンボックス１０６は、内部にファンを収容している。中性能フィルタ取付部１０４およびＨＥＰＡフィルタ取付部１０５には、中性能フィルタおよびＨＥＰＡフィルタをそれぞれの取付用開口に押圧するためのカム機構１０７ａ、１０７ｂ（押圧機構）を有している。
なお、図１に示すフィルタケーシング１００は、フィルタケーシングの一例であり、フィルタやファンボックスの位置、押圧機構のタイプ、空気流入口の位置や形状には様々な種類がある。
【００１１】
主としてプレフィルタが取り付けられるフィルタ取付部１０３は、図１、図２Ａに示すように、フィルタ取付用開口２（以下、単に開口２ということがある。）を有しており、この開口２の上方には、水平部３ａとこの水平部３ａの先端から垂下した垂下部３ｂとを含む上部レール３が設けられている。また、開口２の下方には、水平部４ａとこの水平部４ａの先端から立ち上がった立上り部４ｂとを含むプレフィルタ用の下部レール４が設けられる。
開口２は、１つだけであってもよいが、図２Ｂに示すように複数が並設されていてもよい（例えば横３列など）。この場合、上部レール３および下部レール４は、複数の開口２にまたがって延長されているのがよい。
【００１２】
フィルタ取付部１０３には、通常、図３に示すように、プレフィルタ５が装着される。すなわち、プレフィルタ５のフィルタ枠５１の上部および下部をそれぞれ上部レール３および下部レール４内に挿入し保持させる。従って、プレフィルタ５の厚さは、上部レール３および下部レール４の幅ｗよりも小さい。
【００１３】
本実施形態は、図４に示すように、このようなフィルタ取付部１０３にプレフィルタ５よりも厚さが大きいフィルタ１を装着することを可能にしたものである。プレフィルタ５よりも厚さが大きいフィルタ１としては、フィルタの厚みをプレフィルタよりも大きくしたいフィルタであれば特に限定されるものではなく、例えば、中性能フィルタ、ＨＥＰＡフィルタ、ＵＬＰＡフィルタ、ケミカルフィルタなどが挙げられる。このようなフィルタ１を使用することにより、プレフィルタ５よりも濾材の面積が増大するので、捕集効率を損なうことなく、圧力損失を下げたり、ガス除去などの機能を付加したりすることができる。
【００１４】
具体的には、フィルタ１は、濾材２２を収容したフィルタ枠１１の上面にコ字形の上部係止部材６が上方に突設され、フィルタ枠１１の下面にコ字形の下部係止部材７が下方に突設されている。ここで、上部係止部材６および下部係止部材７の幅は、それぞれ上部レール３および下部レール４の幅ｗよりも小さい。
そのため、上部係止部材６および下部係止部材７をそれぞれ上部レール３および下部レール４内に装着することができ、これによりプレフィルタ５より厚さの大きいフィルタ１をフィルタ取付用開口２の位置で保持することができる。
フィルタ１の使用状態では、図４に矢印で示す方向に空気が流れるため、その風圧でフィルタ１は周縁部が開口２の周壁に押し付けられ、密着することでシール性は保持される。その際、必要に応じて、フィルタ１の周縁部と開口２の周壁との間に弾性のガスケットを介在させてもよく、また後述する押圧機構を備えるのがより好ましい。
【００１５】
上部係止部材６および下部係止部材７は、例えば、リベット、ねじ、接着剤等でフィルタ１のフィルタ枠１１に取り付けることができる。また、上部係止部材６および下部係止部材７の長さは、フィルタ１の幅に等しいか、あるいはそれよりも短くても長くてもよく、短い場合は２つ以上に分かれて取り付けられていてもよく、特に制限されない。
フィルタ１と開口２との間には、防虫網８を介在させることもできる。これにより、虫の侵入を防止することができる。防虫網８は、あらかじめフィルタ１に取り付けられていてもよい。
【００１６】
次に、フィルタ１の取付方法を説明する。図５は、フィルタ１の取付方法の一例を示している。図５に示す取付方法は、けんどん式と呼ばれるものであり、矢印ａで示すように、フィルタ１を傾斜させて、上部係止部材６を上部レール３内に挿入し、ついで矢印ｂで示すように、フィルタ１を開口２に配置し、下部係止部材７を下部レール４内に落とし込んで装着する。けんどん式は、フィルタケーシング１００内に作業者が入って、フィルタ１の交換等の作業ができる場合に利用可能な方法である。
【００１７】
けんどん式において、上部係止部材６の上部レール３内への挿入を容易にするために、上部係止部材６は、フィルタ１の面との間に間隙ｃを有しているのがよい。また、同様の理由から、上部係止部材６の高さｈ１は、下部係止部材７の高さｈ２と等しいか、それよりも長いのが好ましい。
一方、従来のフィルタにおいて、図６Ａに示すように、前面の外周縁にフランジ１１１を設けたフィルタ１１０が知られており、このフィルタ１１０は、同図に示すように、フィルタ取付用開口２に風下側から嵌め込んで装着される。このようなフィルタ１１０を図５に示すようなけんどん式で取り付けようとすると、図６Ｂに示すように、上部のフランジ１１１が開口２の周縁部に当って、上部レール３内に挿入できない。上部レール３を広げるか、厚さを薄くしたフランジ１１１´を使用すると、上部レール３内に挿入可能であるが、フランジ１１１と開口２の周縁部との間の隙間Ｇが大きくなり、風上側からの風力（矢印で示す）だけでは、開口２をシールできず、エアー漏れをひき起こすおそれがある。
【００１８】
図７は、横引き（スライド）式のフィルタ１の取付方法の一例を示している。図７に示すように、横引き式では、ケーシングのダクト側面に扉１０を有しており、ダクト内にはフィルタ取付用の開口２が複数並設されており、その上下に上部レール３および下部レール４が設けられている（図２Ｂを参照）。
複数のフィルタ１は、連結具９で相互に連結されており、開口２への装着時には、扉１０をあけて、複数のフィルタ１を順次ダクト内に挿入する。その際、フィルタ１の上下に設けられた上部係止部材６および下部係止部材７は、それぞれ上部レール３および下部レール４内に挿入され、レール３，４に沿ってスライドし、開口２の前面に配置される。
横引き式の場合、前記したけんどん式のような間隙ｃを設ける必要はないが、設けてもよい。また、横引き式では、前記した上部係止部材６の高さｈ１と下部係止部材７の高さｈ２とは異なっていてもよく、同じであってもよい。
【００１９】
本発明におけるフィルタ１の上下に設けた上部係止部材６および下部係止部材７は、図４に示すような断面コ字形に限定されるものではなく、種々の形状が可能である。例えば、図８Ａに示すような断面Ｌ字形の係止部材６´、７´であってもよく、断面が多角筒形（例えば、ロ字形等）、多角柱形（例えば、四角柱形、三角柱形等）であってもよい。図８Ｂは、けんどん式で装着する一例を示している。その他は図１〜７に示す実施形態と同様であるので、同一符号を付して説明を省略する。
さらに、図９Ａに示すような棒状の上部係止部材６１および下部係止部材７１も採用可能である。棒状の上部係止部材６１および下部係止部材７１は、それぞれフィルタ枠１１の上面および下面の少なくとも幅方向両端に１本づつ設けられていればよく、これによって図９Ｂに示すように、けんどん式および横引き式のいずれにおいても、棒状の上部係止部材６１および下部係止部材７１を上部レール３および下部レール４内にそれぞれ挿入してフィルタ１を固定することができる。ここで、棒状とは、例えば円柱、多角柱（四角柱、三角柱等）の形状の棒状物をいい、棒状物には切り欠きがあってもよく、またフィルタ１のけんどん式による取付けまたはフィルタ１のスライドの障害とならない限りにおいて折曲部ないし折り返し部があってもよい。
また、上部係止部材６、６´、６１と下部係止部材７、７´、７１は、形状や寸法が同一でもよく、異なっていてもよい。
【００２０】
横引き（スライド）式の場合、フィルタ１のスライド時の接触や係止部材のフィルタ枠１１への取り付けの利便性を考慮すると、Ｌ字形またはコ字形が好ましいが、特に制限されない。また、上部係止部材６および下部係止部材７は、リベット、ねじ、接着剤等によりフィルタ枠１１に取付けられる。このフィルタ１は、前記と同様に、けんどん式または横引き式にて開口２に装着することができる。
【００２１】
次に、本発明の別の実施形態を図１０Ａ、図１０Ｂに基づいて説明する。図１０Ａ、図１０Ｂはそれぞれ本実施形態に係るフィルタ装置におけるフィルタの上部押圧機構１２および下部押圧機構１２´を示している。すなわち、図３に示すようなプレフィルタ５は、通常、厚さが２０ｍｍであるのに対して、上下部のレール３，４は幅が２５ｍｍ程度であるため、フィルタの形状や風速の条件等によってフィルタと開口の隙間から空気のリークが発生する場合がある。また、フィルタケーシング側に回転カム等の押圧機構がないフィルタ取付部は、横引き式およびけんどん式共にフィルタの前面にシール用の弾性部材を取り付けても、弾性部材と開口２の周縁の壁面と接触したままフィルタを動かさなければ設置できないため、弾性部材が剥がれるおそれがある。そこで、本実施形態に係るフィルタ装置は、空気のリークを抑制するために、フィルタ１を開口２の周縁に押圧する上部押圧機構１２および下部押圧機構１２´を備えたものである。以下、上部押圧機構１２および下部押圧機構１２´について説明する。
【００２２】
図１０Ａ、図１０Ｂに示すフィルタ装置は、開口２の上部と下部にそれぞれ上部レール３および下部レール４を有する。
使用するフィルタ１は、前述した実施形態におけるフィルタ１と同様のものであり、上部レール３および下部レール４の幅よりも大きい厚さを有する。フィルタ１の前面にはゴム等の弾性部材１３が取付けられている。弾性部材１３は、例えばロ字形であって、開口２の周縁に当接する。
【００２３】
フィルタ１のフィルタ枠１１の上面および下面には、Ｌ形材からなる上部係止部材１４および下部係止部材１４´がリベット、ねじ、接着剤等で固定され、上方および下方に突設している。上部係止部材１４の立上り部１４ａおよび下部係止部材１４´の垂下部１４ｂには貫通ねじ孔１５が形成されており、この貫通ねじ孔には、ねじ材１６が螺合している。下部係止部材１４´の垂下部１４ｂは、下端面が下部レール４に当接しており、これによってフィルタ１を支持している。
ねじ材１６は、可動板１７のねじ挿通孔１７ａに移動自在に挿通されている。フィルタ１の上部では、図１０Ａに示すように、可動板１７は、上部レール３の垂下部３ｂより開口２側であって、上部係止部材１４の立上り部１４ａと上部レール３の垂下部３ｂとの間に位置する。可動板１７には、ねじ材１６と螺合し、接着剤等によって固定されたナット１８が開口２側に位置している。
フィルタ１の下部においても、図１０Ｂに示すように、可動板１７は、下部レール４の立上り部４ｂより開口２側であって、下部係止部材１４の立上り部１４ａと下部レール４の立上り部４ｂとの間に位置する。可動板１７には、ねじ材１６と螺合し、接着剤等によって固定されたナット１８が開口２側に位置している。
【００２４】
上記のように構成したため、ねじ材１６を回転させて、上部係止部材１４の立上り部１４ａおよび下部係止部材１４の立上り部１４ａに対して、それぞれねじ材１６を前進または後退させることができる。このため、ねじ材１６を後退させて、可動板１７を上部レール３の垂下部３ｂおよび下部レール４の立上り部４ｂに押圧させることにより、フィルタ１前面の弾性部材１３を開口２の周縁部２１に圧着させることができる。これにより、フィルタ１を通過しない空気が開口２からリークするのを防止することができる。
一方、フィルタ交換時には、ねじ材１６を前進させて、押圧を解除すればよい。
【００２５】
なお、押圧機構１２は、上部レール３および下部レール４にそれぞれ１箇所ないし複数個所に設ければよい。また、弾性部材１３に代えて、または弾性部材１３と共に、防虫網を開口２に配置してもよい。
【００２６】
図１１Ａ、図１１Ｂは、さらに別の実施形態におけるフィルタ１の上部押圧機構１２１および下部押圧機構１２１´をそれぞれ示している。
この押圧機構１２１、１２１´は、フィルタ枠１１の上面から上方に突設した上部係止部材１４１および下方に突設した下部係止部材１４１´が、上部レール３よりも外側（開口２側の反対側）に設けられている。この上部係止部材１４１の立上り部１４１ａおよび下部係止部材１４１´の垂下部１４１ｂに設けた貫通ねじ孔１５にねじ材１６が螺合しており、その後方（開口２側）に可動板１７が位置している。
また、図１１Ｂに示すように、フィルタ１を支持するために、フィルタ枠１１の下面と下部係止部材１４１´との間には支持材２３が設けられている。支持材２３は例えば板状体で構成することができ、フィルタ枠１１の下面と下部係止部材１４１´のいずれか一方に固定されているのがよい。
その他は図１０Ａ、図１０Ｂの実施形態と同じであるので、図１０Ａ、図１０Ｂと同じ構成部材には、同一の符号を付して説明を省略する。
【００２７】
本発明における押圧機構は、図１０Ａ、図１０Ｂおよび図１１Ａ、図１１Ｂに示されたものに限定されるものではなく、フィルタ１をフィルタ取付用開口２の周縁部に押圧できるものであれば、いずれも採用可能である。例えば、押圧機構として、図１２Ａ、図１２Ｂに示すような回転カム機構を採用してもよい。
図１２Ａ、図１２Ｂは、それぞれフィルタ１の上部回転カム機構１２２および下部回転カム機構１２２´を示している。
【００２８】
上部回転カム機構１２２は、フィルタ枠１１の上面に一対の支持板１９を、フィルタ枠１１の幅方向に離隔して配設すると共に、支持板１９に設けた貫通孔に回転軸２０を挿通支持させる。この回転軸２０は、一対の支持板１９間に略Ｌ字形のカム板２４が固定されている。また、回転軸２０の一方または両方の端面には回転軸２０を回転させるためのドライバ等の治具（図示せず）を差し込む穴２３が形成されている。
また、下部回転カム機構１２２´も同様に構成されているが、支持板１９´はフィルタ１の支持も兼ねている点が、上部回転カム機構１２２と異なっている。
【００２９】
そのため、治具を穴２３に差し込み、回転軸２０を回転させると、カム板２４も回転し、上部レール３の垂下部３ｂおよび下部レール４の立上り部４ｂの内面にそれぞれ圧接し、フィルタ１をフィルタ取付用開口２の周縁部に押圧することができる。
また、弾性部材１３に代えて、または弾性部材１３と共に、防虫網を開口２に配置してもよい。
その他は図１０Ａ、図１０Ｂの実施形態と同じであるので、図１０Ａ、図１０Ｂと同じ構成部材には、同一の符号を付して説明を省略する。
なお、本発明のフィルタ装置は、フィルタをフィルタ取付用開口に押圧する押圧機構があるものだけでなく、押圧機構がないものにも取り付け可能である。
【００３０】
押圧機構を有するフィルタ装置のさらに他の好適例を図１３に示す。図１３（ａ）〜（ｃ）はけんどん式によるフィルタ１の取付手順を示している。図１３（ａ）に示すように、この例のフィルタ１は、コ字形の上部係止部材６と、下部にテーパ部Ｔを有する下部係止部材７２とを備える。フィルタ１の前面にはゴム等の弾性部材１３が取付けられている。フィルタ１の取付けは、まず図１３（ａ）に示すように、上部係止部材６を上部レール３内に挿入した後、図１３（ｂ）に示すように、フィルタ１を下部レール４側に回動させて、下部係止部材７２を、下部レール４の立ち上がり部４ｂを越えて下部レール４内に挿入し、ついで図１３（ｃ）に示すように、フィルタ１を下部レール４内に落とし込んで、取付けを完了する。
このとき、下部係止部材７２のエアー上流側下端部には、エアー上流側後端部から下流側に向かってフィルタ１底面のフィルタ枠から遠ざかるように下り勾配となったテーパ部Ｔが形成されているので、下部係止部材７２を、下部レール４の立ち上がり部４ｂを越えて下部レール４内に容易に挿入することができる。
【００３１】
また、図１４に示すように、フィルタ１の前面（すなわちゴム等の弾性部材１３の端面）から下部係止部材７２の後端部７４までの長さＬ１は、下部レール４の取付面から立上り部４ｂの内面までの長さＬ２より大きく（すなわちＬ１＞Ｌ２）、かつその差は弾性部材１３の厚みｔより小さいことが望ましい（すなわちＬ１−Ｌ２＜ｔ）。これにより、弾性部材１３をいくらか圧縮しなければ、下部係止部材７２を下部レール４内に挿入できなくなる。その結果、図１３（ｂ）に示すように、下部係止部材７２を下部レール４の立上り部４ｂを越えて下部レール４内に収容し、図１３（ｃ）に示すように、フィルタ１を下部レール４内に落とし込んだ状態では、下部係止部材７２のテーパ部Ｔから上方に伸びる後端部７４が下部レール４の立上り部４ｂに圧接し、弾性部材１３を圧縮して下部係止部材７２を開口２の周縁部に押圧する。そのため、開口２の周縁部とフィルタ１との間にエアー漏れの原因となる隙間ができるのを抑制することができる。
上記長さの差（Ｌ１−Ｌ２）の厚さｔに対する比率（（Ｌ１−Ｌ２）／ｔの百分率）は、１０〜４０％、好ましくは１０〜３０％であるのがよい。
【００３２】
下部係止部材７２は、図１５（ａ）、（ｂ）に示すように、長い板材の両端にテーパ部Ｔを設け、折り線７５で両端を約９０°に折り曲げることにより得られる。上部係止部材６はコ字形に限定されず、Ｌ字形や棒材などの任意の部材を用いることができる。
図１５において、テーパ部Ｔと後端部７４との角度αは、１００〜１７０°、好ましくは１２０〜１６０°であるのが好ましい。また、図１３（ａ）に示す後端部７４の長さｈ５は、下部係止部材７２の全高さｈ６に対する比率（ｈ５／ｈ６の百分率）は、0〜90％、好ましくは10〜80％、より好ましくは10〜70％である。
【００３３】
下部係止部材７２は図１３に示すもののみに限定されるものではなく、図１６（ａ）〜（ｄ）に示すような種々の形状のものが採用可能である。図１６（ａ）は折り曲げまたは中空成形した筒形の下部係止部材７６、同図（ｂ）は略レ字形に折り曲げ加工した下部係止部材７７、同図（ｃ）は略フ字形に折り曲げ加工した下部係止部材７８（この場合、前記したｈ５／ｈ６は０になる）、同図（ｄ）は底辺全面がテーパ部になった、折り曲げまたは中空成形された筒形の下部係止部材７９である。いずれもテーパ部Ｔを有する。
【００３４】
なお、以上の実施形態では、弾性部材１３はフィルタ１の前面に取付けられているが、弾性部材１３を開口２の周縁に取付けてもよく、あるいはその両方に取り付けてあってもよい。
また、上記の実施形態では、主としてプレフィルタを取り付けるためのフィルタ取付部にプレフィルタよりも厚みの大きいフィルタを取り付ける場合について説明したが、プレフィルタ以外の他のフィルタを取り付けるためのフィルタ取付部に当該フィルタよりも厚みの大きいフィルタを取り付ける場合ついても適用可能である。
【００３５】
次に、実施例を挙げて本発明のフィルタ装置を詳細に説明するが、本発明は以下の実施例に限定されるものではない。
【実施例】
【００３６】
（実施例１）
図１７に示すフィルタ装置を用いて、上部係止部材の取付位置を確認した。すなわち、Ｌ字形の上部係止部材６´および下部係止部材７´を備えたフィルタ１を開口２の周縁に押し付けた状態で、上部レール３の垂下部３ｂとＬ字形の上部係止部材６´との間隙ｍを測定し、上部レール３の水平部３ａの内周面の長さｎとの比率（ｍ／ｎの百分率）を求めた。
次に、フィルタを風の上流側に移動させ、Ｌ字形の上部係止部材６´を上部レール３の垂下部３ｂに当接させた（下部レール７´も同様）。このとき開口２とフィルタ前面との間には上記間隙ｍと等しい隙間が形成される。
この状態で、風を矢印方向に、表１に示す風速で流し、風圧でフィルタ１が風の下流側に移動して、隙間がなくなり、開口２とフィルタ１との間でエアー漏れがなくなる間隙（ｍ／ｎ）を確認した。その結果を表１に示す。
【表１】
2018089620.tif 000003
表１より、風速と間隙（ｍ／ｎ）との間には次式で示す比例関係が成立することが認められた。
ｙ＝３８．４ｘ−２８．７
ここで、ｙは間隙（ｍ／ｎ）を示し、ｘは風速を示す。
なお、上記式は一つの実験例に基づくものであり、本発明を限定するものではない。
【００３７】
（実施例２）
けんどん式でフィルタを設置するための間隙ｃを決定した。すなわち、図１８に示すコ字形の上部係止部材６の外寸Ｌを変化させたときの、間隙ｃの大きさでフィルタ１の取付に支障がないか確認した。なお、上部レール３の垂下部３ｂと上部係止部材６との隙間ｐは一定とした。間隙ｃは、上部レール３の水平部３ａの内寸ｎとの比（ｃ/ｎの百分率）で表した。その他は実施例１と同じである。
その結果、ｃ/ｎが０％（すなわち、間隙ｃが０ｍｍ）のとき、フィルタ１を上部レール３に挿入することができなかったが、ｃ/ｎが１．８％、３.６％のときは、フィルタ１を上部レール３に挿入可能であった。特にｃ/ｎが３.６％のときは挿入が容易であることが確認された。
【００３８】
（実施例３）
図１９に示すように、下部係止部材７２にテーパ部Ｔを設け、このテーパ部Ｔと後端部７４との角度αを１３５°に設定したとき、垂下部７４と下部レール４の立上り部４ｂとの重なり長さｅの検討を行った。その他は実施例１と同じである。
すなわち、下部レール４の立上り部４ｂの水平部４ａの上面からの高さＨに対する重なり長さｅの比率（ｅ／Ｈの百分率）が１７％および２５％であるときのフィルタ１を設置する場合は、下部係止部材７２の押圧機構が作用し、開口周縁に隙間ができるのを良くすることができ、特に２５％以上であるのが好ましい。
【００３９】
以上、本発明の実施形態に係るフィルタ装置を詳細に説明したが、本発明は、以上の実施形態に限定されるものではなく、特許請求の範囲に記載の範囲内で種々の改良や変更が可能である。
【符号の説明】
【００４０】
１  フィルタ
２  プレフィルタ取付用開口
３  上部レール
４  下部レール
５  プレフィルタ
６  上部係止部材
７  下部係止部材
８  防虫網
９  連結具
１０  扉
１１  フィルタ枠
１２、１２´  押圧機構
１３  弾性部材
１４  上部係止部材
１４´下部係止部材
１５  ねじ孔
１６  ねじ材
１７  可動板
１８  ナット
２１  周縁部
２２  濾材
２３  支持材
２４  カム板
１００  フィルタケーシング
１２１  上部押圧機構
１２１´下部押圧機構
１２２  上部回転カム機構
１２２´下部回転カム機構
【図１】
2018089620.tif 000004
【図２Ａ】
2018089620.tif 000005
【図２Ｂ】
2018089620.tif 000006
【図３】
2018089620.tif 000007
【図４】
2018089620.tif 000008
【図５】
2018089620.tif 000009
【図６Ａ】
2018089620.tif 000010
【図６Ｂ】
2018089620.tif 000011
【図６Ｃ】
2018089620.tif 000012
【図７】
2018089620.tif 000013
【図８Ａ】
2018089620.tif 000014
【図８Ｂ】
2018089620.tif 000015
【図９Ａ】
2018089620.tif 000016
【図９Ｂ】
2018089620.tif 000017
【図１０Ａ】
2018089620.tif 000018
【図１０Ｂ】
2018089620.tif 000019
【図１１Ａ】
2018089620.tif 000020
【図１１Ｂ】
2018089620.tif 000021
【図１２Ａ】
2018089620.tif 000022
【図１２Ｂ】
2018089620.tif 000023
【図１３】
2018089620.tif 000024
【図１４】
2018089620.tif 000025
【図１５】
2018089620.tif 000026
【図１６】
2018089620.tif 000027
【図１７】
2018089620.tif 000028
【図１８】
2018089620.tif 000029
【図１９】
2018089620.tif 000030